(57)【要約】【課題】受話部と送話部との間の適切な距離による設計上の制約を緩和して筐体のサイズを極限まで縮小することができ、しかも、周囲の雑音を遮断して受話音を正確に聞き取ることができる携帯無線機を提供する。【解決手段】少なくとも表示部５、キー操作部６、アンテナ部８、送話部７、受話部４を筐体２に備えた携帯無線機１に関し、前記受話部４が前記筐体２より出し入れ可能に構成されたスライド板１０と、該スライド板１０端部に設けられ且つ使用者の耳に挿入される受話口２２を備えた突出部１１と、該突出部１１内に設けられたスピーカー１２とからなり、前記受話部４の収納時に前記突出部１１が前記筐体２に形成された凹欠部２３，２４に収容されるように構成する。【選択図】　　　　図１
2004015628.tif 000002
【特許請求の範囲】
【請求項１】
少なくとも表示部、キー操作部、アンテナ部、送話部、受話部を筐体に備えた携帯無線機において、前記受話部が前記筐体より出し入れ可能に構成されたスライド部と、該スライド部端部に設けられ且つ使用者の耳に挿入される受話口を備えた突出部と、該突出部内に設けられたスピーカーとからなり、前記受話部の収納時に前記突出部が前記筐体に形成された凹欠部に収容されるように構成してあることを特徴とする携帯無線機。
【請求項２】
前記受話部のスライド部が前記筐体より引き出された際に突出部を有する側が凹面を成すように湾曲していることを特徴とする請求項１に記載の携帯無線機。
【請求項３】
前記受話部が前記筐体の端部に備えられ、且つ前記受話部近傍の筐体端部にアンテナ部が備えられていることを特徴とする請求項２に記載の携帯無線機。
【請求項４】
前記筐体が第一の筐体と第二の筐体とにより分割構成され且つこれら第一及び第二の筐体の対向面間の角度を適宜に変更し得るよう回動可能に構成された折り畳み構造を有し、前記第一の筐体の対向面側に受話部と表示部とが備えられていると共に、前記第二の筐体の対向面側にキー操作部と送話部とが備えられ、前記第一の筐体又は第二の筐体の端部にアンテナ部が備えられていることを特徴とする請求項１〜３の何れかに記載の携帯無線機。
【請求項５】
前記筐体が第一の筐体と第二の筐体とにより分割構成され且つこれら第一及び第二の筐体の対向面がスライド回転可能に構成された折り畳み構造を有し、前記第一の筐体の対向面と反対面側に受話部と表示部とが備えられていると共に、前記第二の筐体の対向面側にキー操作部と送話部とが備えられ、前記第一の筐体又は第二の筐体の端部にアンテナ部が備えられていることを特徴とする請求項１〜３の何れかに記載の携帯無線機。
【発明の詳細な説明】
【０００１】
【発明の属する技術分野】
本発明は、携帯電話機やＰＨＳ（パーソナル・ハンディフォン・システム）等の携帯無線機に関するものである。
【０００２】
【従来の技術】
図１０は従来の携帯無線機の一例である携帯電話機を示すもので、１は携帯無線機、２は該携帯無線機１の筐体であり、ここに図示している例においては、前記筐体２を第一の筐体としての上部筐体２ａと第二の筐体としての下部筐体２ｂとに分割し、それらをヒンジ連結部３を介して互いの対向面間の角度を適宜に変更し得るよう回動自在に連結した構造を有している。
【０００３】
そして、前記上部筐体２ａの対向面側に、スピーカーを有する受話部４と、液晶ディスプレイ等からなる表示部５とが備えられていると共に、前記下部筐体２ｂの対向面側には、複数の入力ボタンからなるキー操作部６と、マイクを有する送話部７とが備えられており、更に、前記下部筐体２ｂの端部には、伸縮自在なアンテナ本体を有するアンテナ部８が備えられている。
【０００４】
【発明が解決しようとする課題】
しかしながら、斯かる従来の携帯無線機１においては、通話時に上部筐体２ａ及び下部筐体２ｂを展開して受話部４を耳に当て且つ送話部７を口元近くにもっていく必要があるため、良好な通話を行うのに必要な距離が自ずから決まり、この結果、受話部４と送話部７との間の距離が設計上の制約を受けて筐体２のサイズの更なる小型化が困難になるという問題があった。
【０００５】
また、従来における受話部４は、上部筐体２ａに内蔵されているスピーカーから筐体表面の孔９を介して受話音が発せられるようになっていたため、この孔９の位置に耳を密着させて受話音を聞き取る必要があるが、通常、孔９の周囲は表示部５の画面から連続する平坦な形状を呈していて、凹凸のある人の耳を孔９の周囲に密着させるのが難しいため、周囲の雑音の影響を受けて受話音を聞き取りにくくなるという不具合があり、しかも、目視できない受話部４の孔９の位置を当て推量で位置合わせしているにすぎないため、正確に受話部４の孔９に耳を当てられないことからも受話音を聞き取りにくくなる虞れがあった。
【０００６】
本発明は上述の実情に鑑みてなしたもので、受話部と送話部との間の適切な距離による設計上の制約を緩和して筐体のサイズを極限まで縮小することができ、しかも、周囲の雑音を遮断して受話音を正確に聞き取ることができる携帯無線機を提供することを目的としている。
【０００７】
【課題を解決するための手段】
本発明は、少なくとも表示部、キー操作部、アンテナ部、送話部、受話部を筐体に備えた携帯無線機において、前記受話部が前記筐体より出し入れ可能に構成されたスライド部と、該スライド部端部に設けられ且つ使用者の耳に挿入される受話口を備えた突出部と、該突出部内に設けられたスピーカーとからなり、前記受話部の収納時に前記突出部が前記筐体に形成された凹欠部に収容されるように構成してあることを特徴とするものである。
【０００８】
従って、本発明では、スピーカーを内蔵した突出部がスライド部と共に筐体側から独立してスライドするので、このスライド部を筐体から引き出して通話を行うことで、良好な通話を行うのに必要な受話部と送話部との間の適切な距離を確保することが可能となり、これにより設計上の制約を緩和して筐体のサイズを極限まで縮小することが可能となる。
【０００９】
また、スピーカーを内蔵した突出部をイヤホンのように耳の中に挿し入れることで、耳穴を完全に塞いで周囲の騒音を遮断することが可能となるので、受話音を正確に聞き取ることが可能となり、しかも、突出部が耳穴に入るか入らないかで明確にスピーカーの位置を特定することが可能であるので、スピーカーからずれた位置に耳を当ててしまって受話音が聞き取りにくくなるといった不具合が起こらなくなる。
【００１０】
更に、人により異なる耳から口までの距離に応じて、スライド部の引き出し量を調整することで、携帯無線機の受話部と送話部の位置を適性位置に調整することが可能となる。
【００１１】
尚、スライド部を筐体内に引き込んで突出部を凹欠部に収容させることで、筐体から突出部が出っ張るようなことがなく、商品としての美観（デザイン）を損なうことなく携帯することが可能となる。
【００１２】
また、本発明においては、前記受話部のスライド部が前記筐体より引き出された際に突出部を有する側が凹面を成すように湾曲していることが好ましく、このようにすれば、スライド部を筐体から引き出した際に、突出部が耳側へ張り出してくるので、筐体を頬から離して通話することが可能となり、特に折り畳み式の携帯無線機の場合には、送話部を口元に近づけても表示部やキー操作部が頬に当らなくなるので、ヒンジ連結部に不要な荷重がかからなくて済み、使用者が不快感を感じることもなくなる。
【００１３】
更に、このようにスライド部を湾曲させることは、前記受話部が前記筐体の端部に備えられ、且つ前記受話部近傍の筐体端部にアンテナ部が備えられているような携帯無線機に適用するのに特に好ましく、この種の携帯無線機に関し、スライド部を突出部が耳側へ張り出すように筐体から引き出せれば、アンテナ部を使用者の頭から離すことが可能となり、アンテナ部近傍に頭があることによる受信感度の劣化が防止されることになる。
【００１４】
また、前記筐体が第一の筐体と第二の筐体とにより分割構成され且つこれら第一及び第二の筐体の対向面間の角度を適宜に変更し得るよう回動可能に構成された折り畳み構造を有し、前記第一の筐体の対向面側に受話部と表示部とが備えられていると共に、前記第二の筐体の対向面側にキー操作部と送話部とが備えられ、前記第一の筐体又は第二の筐体の端部にアンテナ部が備えられていても良い。
【００１５】
更には、前記筐体が第一の筐体と第二の筐体とにより分割構成され且つこれら第一及び第二の筐体の対向面がスライド回転可能に構成された折り畳み構造を有し、前記第一の筐体の対向面と反対面側に受話部と表示部とが備えられていると共に、前記第二の筐体の対向面側にキー操作部と送話部とが備えられ、前記第一の筐体又は第二の筐体の端部にアンテナ部が備えられていても良い。
【００１６】
【発明の実施の形態】
以下本発明の実施の形態を図面を参照しつつ説明する。
【００１７】
図１〜図５は本発明を実施する形態の一例を示すもので、図１０と同一の符号を付した部分は同一物を表わしている。
【００１８】
図１に示す如く、本形態例においては、前述した図１０と略同様に構成した折り畳み式の携帯無線機１に関し、通話時に受話音を聞き取るため受話部４を、以下に詳述する如きスライド板１０と突出部１１とスピーカー１２とにより構成している。
【００１９】
即ち、前記スライド板１０は、上部筐体２ａ（第一の筐体）の先端部中央に出し入れ可能に構成されており、より具体的には、特に図２及び図３に示す如く、上部筐体２ａの背面側を成すリアケース１３の内面側に、一対のガイドレール１４，１５により挟まれて収容空間１６が画成されており、該収容空間１６に対し短冊状のスライド板１０が摺動自在に収められている。
【００２０】
ここで、前記スライド板１０の下端部には、抜脱防止ストッパ１７が設けられており、上部筐体２ａの正面側を成すフロントケース１８の内面側先端部に前記抜脱防止ストッパ１７が掛止されることで前記スライド板１０が抜け止めされるようになっている。
【００２１】
また、一方のガイドレール１４には、その上下位置に係合孔１９，１９が夫々穿設されており、これに対応したスライド板１０の片側の下端部には、前記各係合孔１９，１９に係合して前記スライド板１０の位置を固定する係合突起２０が形成されている。
【００２２】
そして、このスライド板１０の先端部に、使用者の耳に挿入し得るよう横方向に凸型を成し且つその先端に孔２１を開口してなる受話口２２を備えた突出部１１が設けられており、該突出部１１内に、前記受話口２２から受話音を発し得るようスピーカー１２が収容されている。
【００２３】
更に、上部筐体２ａのリアケース１３及びフロントケース１８の先端部には、前記突出部１１を収容し得るよう凹欠部２３，２４が夫々形成されており、前記突出部１１が収用時に上部筐体２ａの外形から張り出させないようにしてある。
【００２４】
尚、図中２５は液晶メイン基板、２６は液晶、２７は液晶表示窓を示し、これら液晶メイン基板２５と液晶２６と液晶表示窓２７とにより表示部５が構成されるようになっている。また、２８はスピーカー１２からスライド板１０内を通して下方に引き出されたスピーカーコードを示す。
【００２５】
而して、このように構成した携帯無線機１によれば、スピーカー１２を内蔵した突出部１１がスライド板１０と共に上部筐体２ａ側から独立してスライドするので、図４に示す如く、このスライド板１０を上部筐体２ａから引き出して、その引き出し位置を上段の係合孔１９と係合突起２０との係合により固定した上、突出部１１を耳穴に入れて通話を行うことで、良好な通話を行うのに必要な受話部４と送話部７との間の適切な距離を確保することが可能となり、これにより設計上の制約が緩和されて筐体２のサイズを極限まで縮小することが可能となる。
【００２６】
また、スピーカー１２を内蔵した突出部１１をイヤホンのように耳の中に挿し入れることで、耳穴を完全に塞いで周囲の騒音を遮断することが可能となるので、受話音を正確に聞き取ることが可能となり、しかも、突出部１１が耳穴に入るか入らないかで明確にスピーカー１２の位置を特定することが可能であるので、スピーカー１２からずれた位置に耳を当ててしまって受話音が聞き取りにくくなるといった不具合も起こらなくなる。
【００２７】
更に、人により異なる耳から口までの距離に応じて、スライド板１０の引き出し量を調整することで、携帯無線機１の受話部４と送話部７の位置を適性位置に調整することも可能である。
【００２８】
尚、図５に示す如く、スライド板１０を上部筐体２ａ内に引き込んだ場合には、突出部１１が凹欠部２３，２４に収容されて上部筐体２ａの外形から張り出さなくなるので、商品としての美観（デザイン）を損なうことなく携帯無線機１を携帯することが可能となる。
【００２９】
また、本形態例においては、スライド板１０を上部筐体２ａの先端部中央に出し入れ可能に構成した例を示しているが、図６及び図７に示す如く、スライド板１０を上部筐体２ａの先端部片側のコーナー部分に配置することも可能であり、このような配置を採用した方が耳穴に突出部１１を挿し入れ易くなる。
【００３０】
図８は本発明の別の形態例を示すもので、ここに図示している例においては、スライド板１０の突出部１１を有する側が、上部筐体２ａより引き出された際に凹面を成して湾曲するように構成されている。
【００３１】
ここで、引き出したスライド板１０を湾曲させる構造は、例えば、スライド板１０を予め湾曲形状を付した形状記憶合金等の弾性素材により形成しておき、収納時には上記スライド板１０を弾性変形により平坦化してガイドレール１４，１５間の収容空間１６（図２参照）に収容させるようにしたり、或いは、スライド板１０を予め湾曲形状を付した樹脂材や金属材により形成しておくとともに、ガイドレール１４，１５間の収容空間１６もスライド板１０の湾曲形状に合わせて湾曲させておき、収納時には湾曲形状を有するスライド板１０を、湾曲形状を有する収容空間１６に収容させたりすることで実現できる。
【００３２】
而して、このような構成を採用すれば、スライド板１０を上部筐体２ａから引き出した際に、突出部１１が耳側へ張り出してくるので、突出部１１を耳穴へ挿入し易くなるとともに筐体２を頬から離して通話することが可能となり、特に図示の如き折り畳み式の携帯無線機１の場合には、少なくとも下部筐体２ｂを頬に当らなくすることができるので、ヒンジ連結部３に不要な荷重がかからなくて済み、使用者が通話中に不快感を感じることもなくなる。
【００３３】
なお、筐体２全体を顔と当たらなくすることも可能である。また、スライド板１０を湾曲させる度合いとしては、突出部１１をしっかりと耳穴に挿入させるようにするためにも突出部１１の根元部が上部筐体２ａの内面を含む平面より突出する程度に湾曲させておくことが好ましい。
【００３４】
また、ここに図示している例では、上部筐体２ａの先端部に受話部４を備えて、下部筐体２ｂのヒンジ連結部３近傍端部にアンテナ部８を備えた携帯無線機１としてあるが、上部筐体２ａの先端部における受話部４の近傍にアンテナ部８を備えた携帯無線機の場合には、前述した如きスライド板１０が引き出し時に湾曲する構造の採用が特に有効となる。即ち、この種の携帯無線機１に適用すると、アンテナ部８を使用者の頭から離すことが可能となるので、アンテナ部８近傍に頭があることによる受信感度の劣化が防止されることになる。
【００３５】
更に、以上に説明した携帯無線機１は、上部筐体２ａと下部筐体２ｂの対向面間の角度を適宜に変更し得るよう回動可能に構成された折り畳み構造を有するものとなっていたが、図９に示す如く、上部筐体２ａと下部筐体２ｂとの対向面が回転軸部２９を中心としてスライド回転可能に構成された折り畳み構造を有する携帯無線機１にも同様の受話部４の構造を適用することができる。
【００３６】
ただし、このようなスライド回転による折り畳み構造とした場合には、前記上部筐体２ａの対向面と反対面側に受話部４と表示部５とが備えられ、前記下部筐体２ｂの対向面側にキー操作部６と送話部７とが備えられ、前記上部筐体２ａ又は下部筐体２ｂの端部（図示では上部筐体２ａの先端面）にアンテナ部８が備えられることになる。
【００３７】
尚、本発明の携帯無線機は、上述の形態例にのみ限定されるものではなく、図示例では、第一及び第二の筐体を回動可能とした折り畳み構造や、第一及び第二の筐体をスライド回転可能とした折り畳み構造の携帯無線機を示したが、折り畳まないストレートタイプの携帯無線機にも同様に適用し得ること、また、図示例ではスライド部として板状のスライド板を示したが、環状のスライド管であっても良いこと、その他、本発明の要旨を逸脱しない範囲内において種々変更を加え得ることは勿論である。
【００３８】
【発明の効果】
上記した本発明の携帯無線機によれば、下記の如き種々の優れた効果を奏し得る。
【００３９】
（Ｉ）本発明の請求項１に記載の発明によれば、スピーカーを内蔵した突出部をスライド部と共に筐体側から独立してスライドさせることができるので、このスライド部を筐体から引き出して通話を行うことで良好な通話を行うのに必要な受話部と送話部との間の適切な距離を確保することができ、これにより設計上の制約を緩和できて筐体のサイズを極限まで縮小することができる。
【００４０】
（ＩＩ）本発明の請求項１に記載の発明によれば、スピーカーを内蔵した突出部をイヤホンのように耳の中に挿し入れることで、耳穴を完全に塞いで周囲の騒音を遮断することができるので、突出部から受話音を正確に聞き取ることができ、しかも、突出部が耳穴に入るか入らないかで明確にスピーカーの位置を特定することができるので、スピーカーからずれた位置に耳を当ててしまって受話音が聞き取りにくくなるといった不具合が起こらなくなる。
【００４１】
（ＩＩＩ）本発明の請求項１に記載の発明によれば、人により異なる耳から口までの距離に応じて、スライド部の引き出し量を調整することができるので、携帯無線機の受話部と送話部の位置を適性位置に調整することができる。
【００４２】
（ＩＶ）本発明の請求項１に記載の発明によれば、スライド部を筐体内に引き込んで突出部を凹欠部に収容させることで、筐体から突出部が出っ張るような不具合を防止することができるので、商品としての美観（デザイン）を損なうことなく携帯できる。
【００４３】
（Ｖ）本発明の請求項２に記載の発明によれば、スライド部を筐体から引き出した際に、突出部を耳側へ張り出させることができるので、突出部を耳穴へ挿入し易くすることができるとともに筐体を頬から離して通話することができ、特に折り畳み式の携帯無線機の場合には、筐体を頬に当らなくすることができ、特に折り畳み式の携帯無線機においては、ヒンジ連結部に不要な荷重がかからなくて済み、表示部やキー操作部が頬に当たることによる使用者の不快感も防止することができる。
【００４４】
（ＶＩ）本発明の請求項３に記載の発明によれば、アンテナ部を使用者の頭から離すことができるので、アンテナ部近傍に頭があることによる受信感度の劣化を防止することができる。
【００４５】
（ＶＩＩ）本発明の請求項４、５に記載の発明によれば、携帯無線機をコンパクトに折り畳むことができて携帯性を高めることができる。
【図面の簡単な説明】
【図１】本発明を実施する形態の一例を示す概略図である。
【図２】図１の受話部の詳細を示す分解図である。
【図３】図１の受話部の縦断面図である。
【図４】図１の受話部を拡大して示す斜視図である。
【図５】図４の受話部の収納状態を示す斜視図である。
【図６】本発明の別の形態例を示す斜視図である。
【図７】図６の受話部の収納状態を示す斜視図である。
【図８】本発明の別の形態例を示す斜視図である。
【図９】本発明の更に別の形態例を示す斜視図である。
【図１０】従来例を示す概略図である。
【符号の説明】
１　携帯無線機
２　筐体
２ａ　上部筐体（第一の筐体）
２ｂ　下部筐体（第二の筐体）
４　受話部
５　表示部
６　キー操作部
７　送話部
８　アンテナ部
１０　スライド板（スライド部）
１１　突出部
１２　スピーカー
２２　受話口
２３　凹欠部
２４　凹欠部
【図１】
2004015628.tif 000003
【図２】
2004015628.tif 000004
【図３】
2004015628.tif 000005
【図４】
2004015628.tif 000006
【図５】
2004015628.tif 000007
【図６】
2004015628.tif 000008
【図７】
2004015628.tif 000009
【図８】
2004015628.tif 000010
【図９】
2004015628.tif 000011
【図１０】
2004015628.tif 000012